(57)【特許請求の範囲】
【請求項１】
障子の下框と窓枠の下枠とに架け渡されたアームと、そのアームの基端部を連結し、かつ、その基端部を下枠の長手方向に沿って移動自在に支持してなるスライドブロックと、このスライドブロックをスライド移動させるガイド部材と、下框に対するアームの先端部の連結を解除可能な開閉規制解除手段を備えた窓開閉規制装置であって、
前記アームの基端部は、連結片を介して、上下方向及び左右方向に回動可能に、スライドブロックに連結され、一方、アームの先端部は、下框連結片を介して、障子の下框に対して上下方向及び左右方向に回動可能に取付けられ、
前記開閉規制解除手段は、前記下框連結片の連結ピンが掛止される、固定掛止部材と可動掛止部材からなり、
固定掛止部材は障子の下框の下端に止着されると共に、屋内側に臨んで開放された切欠部があり、一方、可動掛止部材は下框の長手方向に沿って移動可能な可動ロッドに止着されて該可動ロッドと共に移動し、且つ、屋内側に臨んで開放された切欠部が設けられて、
前記可動掛止部材の移動により、前記両切欠部の屋内側に臨むそれぞれの開放端が互いに一致した時に前記連結ピンは解放状態となり、両切欠部の屋内側に臨むそれぞれの開放端の位置が相互にずれている時には、切欠部の開放端が可動掛止部材の鉤状部により閉じられた状態となることを特徴とする窓開閉規制装置。
【請求項２】
前記固定掛止部材の切欠部は、屋内側に臨んで直線状に延び、前記可動掛止部材の切欠部は、屋内側に臨んで開放された略Ｌ字状をなすように延びていることを特徴とする請求項１に記載の窓開閉規制装置。
【請求項３】
前記連結ピンは小径部と大径部とにより形成されており小径部が両切欠部内に通されていることを特徴とする請求項１に記載の窓開閉規制装置。
【請求項４】
操作レバーと、操作レバーの回動によってそのレバーの軸を中心として揺動される揺動片と、揺動片の先端には揺動片に伴って動く従動片と、その従動片の先端には直線状に可動する共に、前記開閉規制解除手段の可動ロッドを止着する可動片を備えていることを特徴とする請求項１に記載の窓開閉規制装置。
【発明の詳細な説明】
【０００１】
【発明の属する技術分野】
本発明は、窓枠に対する障子の開き角を規制する窓開閉規制装置に関する。
【０００２】
【従来の技術】
一般に建物等の窓には、建物の開口部に取り付けられる窓枠と、その窓枠内に縦方向または横方向に回動自在に取り付けられる障子とに架け渡されたアームよりなる窓開閉規制装置が設けられている。
縦方向に障子が回動するいわゆる横軸回転窓、横辷り出し窓、突き出し窓及び内倒し窓などでは、従来、窓開閉規制装置として、窓を閉じた時の屋内へのアーム突出量を小さくするために、一対の短尺のアームを折畳み可能に連結してなるアームを用いたものが知られている（実開昭６１−９５８７６号公報、実開昭６１−１８９９６２号）。
また、従来、横軸回転窓等においては、アームは窓枠に着脱可能に取り付けられており、窓枠からアームを外すことによって、障子を１６５°回転させて屋内側から障子の屋外面を拭くことができるようになっている。
【０００３】
【発明が解決しようとする課題】
しかしながら、上記従来の折畳み可能なアームを有する窓開閉規制装置では、窓の開閉がスムーズに行われ難いことがある、一対のアームを水平な軸で連結してなる連結部分が劣化し易い、という欠点があった。
また、窓枠にアームが着脱可能に取り付けられた窓開閉規制装置では、アームが障子に取り付けられたまま障子を１６５°回転させることになるので、アームが邪魔になるなどの不都合があった。
【０００４】
本発明は、上記問題点を解決するためになされたもので、窓の開閉をスムーズに行うことができるとともに、アームと障子とを分離させることができる窓開閉規制装置を提供することを目的とする。
【０００５】
【課題を解決するための手段】
請求項１に記載した窓開閉規制装置は、障子の下框と窓枠の下枠とに架け渡されたアームと、そのアームの基端部を連結し、かつ、その基端部を下枠の長手方向に沿って移動自在に支持してなるスライドブロックと、このスライドブロックをスライド移動させるガイド部材と、下框に対するアームの先端部の連結を解除可能な開閉規制解除手段を備えた窓開閉規制装置であって、前記アームの基端部は、連結片を介して、上下方向及び左右方向に回動可能に、スライドブロックに連結され、一方、アームの先端部は、下框連結片を介して、障子の下框に対して上下方向及び左右方向に回動可能に取付けられ、前記開閉規制解除手段は、前記下框連結片の連結ピンが掛止される、固定掛止部材と可動掛止部材からなり、固定掛止部材は障子の下框の下端に止着されると共に、屋内側に臨んで開放された切欠部があり、一方、可動掛止部材は下框の長手方向に沿って移動可能な可動ロッドに止着されて該可動ロッドと共に移動し、且つ、屋内側に臨んで開放された切欠部が設けられて、前記可動掛止部材の移動により、前記両切欠部の屋内側に臨むそれぞれの開放端が互いに一致した時に前記連結ピンは解放状態となり、両切欠部の屋内側に臨むそれぞれの開放端の位置が相互にずれている時には、切欠部の開放端が可動掛止部材の鉤状部により閉じられた状態となることを特徴とする。
【０００６】
この発明において、請求項２の発明のように、前記固定掛止部材の切欠部は、屋内側に臨んで直線状に延び、前記可動掛止部材の切欠部は、屋内側に臨んで開放された略Ｌ字状をなすように延びていることを特徴とする。
【０００７】
請求項３の発明のように、前記連結ピンは小径部と大径部とにより形成されており小径部が両切欠部内に通されていることを特徴とする。
【０００８】
請求項４の発明のように、操作レバーと、操作レバーの回動によってそのレバーの軸を中心として揺動される揺動片と、揺動片の先端には揺動片に伴って動く従動片と、その従動片の先端には直線状に可動する共に、前記開閉規制解除手段の可動ロッドを止着する可動片を備えていることを特徴とする。
【０００９】
【発明の実施の形態】
以下に、本発明の実施の形態について図１〜図１６を参照しつつ詳細に説明する。
図１２には、本発明に係る窓開閉規制装置が適用された窓の一例が示されている。この窓は、例えば水平な軸（横軸）１０を介して障子１１が窓枠１２の略中央に回動自在に取り付けられてなるいわゆる横軸回転窓１であり、本発明に係る窓開閉規制装置は、障子１１の下框１３と窓枠１２の下枠１４とに架け渡されてなるアーム２を備えた構成となっている。そして、図１３に示すように、窓開閉規制装置には、所定の開き角でロックされた状態にある障子１１（図１２参照）を閉じる際にそのロック状態を解除する手段（以下、ロック解除手段と称する）３が、下枠１４の屋内側（図１３の手前側）に露出して設けられている。また、障子１１の下框１３の屋内側には、窓枠１２に対して障子１１の施錠及び解錠を操作するレバー１５が例えば２個設けられている。
【００１０】
図１及び図２には、本発明に係る窓開閉規制装置が取り付けられてなる横軸回転窓１を開けた状態の一例を示す側面図及び平面図がそれぞれ示されている。また、図３及び図４には、本実施形態の窓開閉規制装置が取り付けられてなる横軸回転窓１を閉めた状態を示す側面図及び平面図がそれぞれ示されている。窓を開けた状態では、障子１１の下半部が屋外側に突出した状態となる。なお、図１〜図４においては、障子１１及びその下框１３並びに窓枠１２の下枠１４を二点鎖線で示した。
【００１１】
本実施形態の窓開閉規制装置は、前記アーム２と、そのアーム２の基端部が連結されかつその基端部を下枠１４の長手方向に沿って移動自在に支持してなるスライドブロック４及びガイド部材５よりなるスライド手段８と、そのアーム２の基端部のスライド機能をロックして障子１１を所定の開き角で固定するロック手段７と、前記ロック解除手段３と、下框１３に対するアーム２の先端部の連結を解除可能な開閉規制解除手段６とを備えている。
【００１２】
このように構成されてなる窓開閉規制装置が取り付けられる窓においては、スライドブロック４及びガイド部材５は、下枠１４の屋内に臨んで露出する屋内面１４ａよりも屋外側において下枠１４上に設置される。また、下枠１４の上半部は、スライドブロック４及びガイド部材５よりも屋内側においてそれらよりも上方に延在する起立片１４ｂとなっている。一方、下框１３の下半部は、下框１３とアーム２の先端部との連結部分よりも屋外側においてその連結部分よりも下方に延在する垂下片１３ａとなっている。それによって窓が閉じられた状態では、アーム２、スライドブロック４及びガイド部材５は下枠１４の起立片１４ｂと下框１３の垂下片１３ａとの間の空間内に収納されて屋内側及び屋外側のいずれからも隠蔽された状態となる（図３及び図４参照）。
【００１３】
前記アーム２は帯状の板材でできており、その基端部は、図６に示すように、連結片２０を介してスライドブロック４に連結されている。この連結片２０は、水平な軸４０を介してスライドブロック４に矢印イのように上下方向に回動可能に取り付けられている。また、アーム２は垂直な軸２１を介して連結片２０に矢印ロのように左右横方向に回動可能に取り付けられている。従って、アーム２は窓枠１２の下枠１４に対して上下方向及び左右方向に回動可能になっている。
【００１４】
一方、アーム２の先端部には、障子１１の下框１３の下端に連結される連結片２２（以下、この連結片２２を下框連結片２２とし、先の連結片２０をアーム連結片２０と称する。）が設けられている。この下框連結片２２は、水平な軸２３を介してアーム２に矢印ハのように上下方向に回動可能に取り付けられている。下框連結片２２には上方に突出する連結ピン２４が設けられている。この連結ピン２４を垂直な軸としてアーム２は下框１３に対して左右横方向に回動可能な状態になっている。従って、アーム２は障子１１の下框１３に対して上下方向及び左右方向に回動可能になっている。
【００１５】
上述したようにアーム２が窓枠１２及び障子１１に対して自在に可動できるようになっていることにより、例えば図５（Ａ）に示すように、大小様々な大きさの横軸回転窓に同一サイズのアーム２を取り付けることができる。すなわち、窓の大小にかかわらず障子１１Ａ，１１Ｂの突出し量は同じであるので、高い窓の場合には障子１１Ａとアーム２とのなす角α及び窓枠１２Ａとアーム２とのなす角βはともに大きくなり、低い窓の場合には障子１１Ｂとアーム２とのなす角γ及び窓枠１２Ｂとアーム２とのなす角δは小さくなる。一般に、障子１１Ａ，１１Ｂの屋外への突出量は例えば１２０mm程度であり、窓の高さは７００mm〜２０００mm程度である。
【００１６】
なお、図５（Ｂ）に示すように、障子１１Ｃ，１１Ｄの上端縁が水平な軸（図示せず）を介して回動自在に支持されている窓（突き出し窓など）では、その大小にかかわらず窓枠１２Ｃ，１２Ｄとアーム２とのなす角β，δは同じであり、障子１１Ｃ，１１Ｄとアーム２のなす角α，γは高い窓の場合には大きく、低い窓の場合には小さくなる。従って、本発明に係る窓開閉規制装置を図５（Ｂ）に示すような窓に用いる場合には、アーム２はその基端部及び先端部の少なくとも一方が上下方向及び左右方向に回動可能になっていればよい。
【００１７】
前記スライドブロック４には、図６に示すように、出没自在な係合ピン４１が設けられている。この係合ピン４１は、アーム２の延びる向きと逆向きに臨んでスライドブロック４に開口する凹部４２内にばね４３を介して収容されており、そのばね４３によってアーム２と逆向きにスライドブロック４から突出するように付勢されている。
【００１８】
前記ガイド部材５は、底板部５０、手前側の起立板部５１及び天板部５２が折曲成形され、さらにその起立板部５１に相対峙して奥側に前記アーム連結片２０を逃げる高さの起立板部５３が例えば底板部５０に溶着されてなるものである。それら底板部５０、一対の起立板部５１，５３及び天板部５２で囲まれてなる空間内にスライドブロック４が挿入され、矢印ニのようにガイド部材５の長手方向に沿ってスライドブロック４がスライド移動するようになっている。手前側の起立板部５１には、所定箇所に貫通孔５４が開けられており、スライドブロック４の係合ピン４１の先端の小径部４１ａが係合するようになっている。すなわち、その貫通孔５４は、係合ピン４１を受ける係合受部（以下係合受部５４とする）となっている。それら係合受部５４と係合ピン４１とが互いに係合することによって、スライドブロック４がガイド部材５内においてスライド不能にロックされる。従って、スライドブロック４の係合ピン４１、凹部４２及びばね４３並びに係合受部５４は、ロック手段７としての機能を有している。
【００１９】
ガイド部材５は、窓枠１２の下枠１４に底板部５０がねじ５５により止着されることにより窓枠１２に固定される（図１〜図４参照）。なお、底板部５０は奥側の起立板部５３よりもさらに奥方に延出しており、その延出部５０ａにおいて下枠１４にねじ止めされるようになっている。ガイド部材５の長手方向の係合受部５４側の側端には、スライドブロック４が所定のロック位置を越えてスライドしないようにストッパー５６が設けられている。係合受部５４の周囲は、当て板５７が溶着されて他の部位よりも肉厚にされており、スライドブロック４の係合ピン４１と係合受部５４との係合代を大きくしてそれら相互の係合が強固になされるように配慮されている。
【００２０】
窓の開閉によりアーム２及びスライドブロック４は次のように動く。
すなわち、窓が閉じられた状態では、図７（Ａ）に示すように、スライドブロック４はガイド部材５の係合受部５４と反対側端部の近くに位置し、アーム２は窓枠１２の屋内−屋外方向の寸法内に納まるようにガイド部材５に添ってガイド部材５の長手方向に延びた状態となる。その状態から、窓が開けられると、図７（Ｂ）に示すように、屋外側へ開く障子１１の動きに伴って、スライドブロック４がガイド部材５の反対側すなわち係合受部５４側の端部に向かってスライド移動しながらアーム２の先端部側がガイド部材５から屋外側へ離れていく。
そして、係合受部５４に係合ピン４１が係合すると、スライドブロック４の移動は停止されてロック状態となる。このロック状態においては、故意でない限り障子１１はさらに開くようにもまた閉じるようにも動かない。ロック状態から窓を閉じる際には、ロック解除手段３により係合ピン４１をスライドブロック４側に押し込んで係合受部５４から離脱させながら、障子１１を屋内側から引き寄せる。その際、ガイド部材５のストッパー５６により、スライドブロック４がガイド部材５から脱落するのが防止されている。そして、スライドブロック４がガイド部材５の係合受部５４と反対側端部に向かってスライド移動するとともに、アーム２がガイド部材５に添うように動いて図７（Ａ）に示す状態となる。
【００２１】
前記ロック解除手段３は、図８（Ａ），（Ｂ）に示すように、例えば解除操作を行う際に操作される操作レバー３０と、操作レバー３０が操作されることにより押し出される可動ピン３１とを有している。操作レバー３０は水平な軸３２により回動自在に支持されている。操作レバー３０の上端部は、略水平かつ略平坦で解除操作し易い広さの押圧片３３をなしている。そして、この押圧片３３が押し下げられるように操作されることによって操作レバー３０が回動し、そのレバー３０の下端部３０ａにより可動ピン３１の基端が押され、解除操作が起こる。可動ピン３１はばね３４の付勢によって、押し出されていない状態（解除操作が行われていない状態）に復帰するようになっている。このロック解除手段３は、窓枠１４の起立片１４ｂにねじ３５により止着されている（図１〜図４参照）。可動ピン３１は、係合受部５４に対応する位置に設けられている（図７（Ｂ）参照）。そして、可動ピン３１の押出しのストロークは、係合受部５４から係合ピン４１を離脱させ得る程度である。
【００２２】
前記開閉規制解除手段６は、図２に示すように、例えばアーム２の下框連結片２２の前記連結ピン２４が掛止される一対の掛止部材６０，６１を有している。その一対の掛止部材６０，６１の相互の相対的な位置関係によって、連結ピン２４を保持可能な状態と解放可能な状態とに変化する。
【００２３】
すなわち、一対の掛止部材６０，６１のうち、障子１１の下框１３の下端にねじ６２により止着された掛止部材（以下、固定掛止部材と称する）６０には、屋内側（図２の下側）に臨んで開放された直線状に延びる切欠部６０ａがあり、一方、下框１３の長手方向に沿って移動可能な可動ロッド６３にねじ６４により止着されて該可動ロッド６３とともに移動するもう一方の掛止部材（以下、可動掛止部材と称する）６１には、屋内側に臨んで開放されかつ略Ｌ字状をなすように延びる切欠部６１ａがある。
【００２４】
可動掛止部材６１の移動により、図９（Ｂ）及び図１０（Ｂ）に示すように、それら両切欠部６０ａ，６１ａの屋内側に臨むそれぞれの開放端が互いに一致した時に連結ピン２４は解放状態となり、下框１３とアーム２との連結が解除される。
それに対して、図９（Ａ）及び図１０（Ａ）に示すように、両切欠部６０ａ，６１ａの屋内側に臨むそれぞれの開放端の位置が相互にずれている時には、切欠部６０ａの開放端が可動掛止部材６１の鉤状部６１ｂにより閉じられた状態となり、連結ピン２４は一対の掛止部材６０，６１により拘束され、下框１３とアーム２とが連結された状態となる。なお、連結ピン２４は小径部２４ａと大径部２４ｂとにより形成されており小径部２４ａが切欠部６０ａ，６１ａ内に通され、大径部２４ｂは切欠部６０ａ，６１ａから連結ピン２４が脱落するのを防ぐ抜止部となっている。
【００２５】
図１１には、可動掛止部材６１の移動機構の一例が示されている。開閉規制解除手段６には、開閉規制を有効にしたり解除したりする際に操作される操作レバー６Ａが、障子１１の下框１３の屋内側面に突出して設けられている（図１及び図３参照）。この操作レバー６Ａの先端には、操作レバー６Ａの回動によってそのレバー６Ａの軸を中心として揺動される揺動片６４Ａが空回りしないように取り付けられている。なお、図１１には、操作レバー６Ａを先端側から見た状態が示されている。揺動片６４Ａの先端には揺動片６４Ａに伴って動く従動片６４Ｃが支軸６４Ｂを介して連結され、さらにその従動片６４Ｃの先端には直線状に可動する可動片６４Ｅが支軸６４Ｄを介して連結されている。可動片６４Ｅには、ねじ６５によりブラケット６６が止着されており、そのブラケット６６にねじ６７により前記可動ロッド６３が止着されている。可動ロッド６３には可動掛止部材６１が止着されているので、操作レバー６Ａの回転動作に伴って可動掛止部材６１が直線状に往復動作するように変換される。
【００２６】
揺動片６４Ａと従動片６４Ｃが折れ曲がって可動片６４Ｅが後退した状態（図１１（Ａ））が開閉規制を有効にした状態であり、揺動片６４Ａと従動片６４Ｃが直線状に延びて可動片６４Ｅが前進した状態（図１１（Ｂ））が開閉規制を解除した状態である。この窓の開閉規制が解除された状態では、障子１１は例えば１６５°の回転角で回転可能になっている。
なお揺動片６４Ａ、従動片６４Ｃ、可動片６４Ｅ及び支軸６４Ｂ，６４Ｄは、ケース６８内に収納されており、そのケース６８はねじ６９により障子１１の下框１３の下端部に止着されている。
【００２７】
上記実施例によれば、アーム２が、窓枠１２の下枠１４に水平方向及び垂直方向に回動自在に連結され得るとともに、障子１１の下框１３に水平方向及び垂直方向に回動自在に連結され得るようになっているため窓の開閉の操作性に優れ、スムーズに窓を開閉させることができる。また、アーム２が従来のように折り畳み可能な構成でないため、アームの劣化という従来の窓開閉規制装置の欠点が解決される。加えて、大小様々な大きさの窓に同一サイズのアーム２を取り付けることができるので、アーム２の汎用性が高いという効果も得られる。さらに、アーム２と障子１１とを分離させて障子１１だけを回転させることができるようになっているので、障子の屋外面を拭くために障子を例えば１６５°回転させる際にアームが邪魔になるという従来の窓開閉規制装置の欠点が解決される。
【００２８】
なお、本発明に係る窓開閉規制装置は、上記実施例に記載された構成のものに限らず、種々設計変更可能である。例えば、アーム２がアーム連結片２０に水平な軸を介して垂直方向に回動自在に連結されかつアーム連結片２０がスライドブロック４に垂直な軸を介して水平方向に回動自在に連結されていることにより、アーム２が窓枠１２の下枠１４に対して上下方向及び左右方向に回動可能に取り付けられるようになっていてもよい。
【００２９】
また、固定掛止部材６０及び可動掛止部材６１のそれぞれの切欠部６０ａ，６１ａの形状及び可動掛止部材６１の移動機構は上記実施例のものに限らないのはいうまでもない。
【００３０】
さらに、上記実施形態においては、本発明に係る窓開閉規制装置を横軸回転窓１に適用した場合について説明したが、本発明は、図１４に示すように窓の上端部の横軸１０を回動軸として障子１１を屋外側に突き出すいわゆる突き出し窓１Ａもしくは内倒し窓（突き出し窓１Ａの上下を逆にして、障子の上部を屋内側に倒すようにして開ける窓）にも適用可能であり、また図１５に示すように垂直な軸（縦軸）１６を介して障子１１が窓枠１２の略中央に回動自在に取り付けられてなるいわゆる堅軸回転窓１Ｂ、及び図１６に示すように窓の左右何れか一側方の縦軸（図示せず）を回動軸として障子１１が回動するとともに障子１１が窓枠１２に対して左右のもう一方の側方に向かって水平移動するいわゆる堅辷り出し窓１Ｃ等にも応用可能である。
【００３１】
本願発明の窓開閉規制装置によれば、アームと障子とを分離させて障子だけを回転させることができるので、障子の屋外面を拭くために障子を例えば１６５°回転させる際にアームが邪魔になるという従来の窓開閉規制装置の欠点が解決される。
【図面の簡単な説明】
【図１】本発明に係る窓開閉規制装置を取り付けてなる横軸回転窓を開けた状態の一例を示す側面図である。
【図２】本発明に係る窓開閉規制装置を取り付けてなる横軸回転窓を開けた状態の一例を示す平面図である。
【図３】本発明に係る窓開閉規制装置を取り付けてなる横軸回転窓を閉めた状態の一例を示す側面図である。
【図４】本発明に係る窓開閉規制装置を取り付けてなる横軸回転窓を閉めた状態の一例を示す平面図である。
【図５】（Ａ）及び（Ｂ）は本発明に係る窓開閉規制装置を取り付け得る窓においてその種類及び大きさの相違による影響を説明する模式図である。
【図６】本発明に係る窓開閉規制装置のアーム及びスライド手段の一例の分解斜視図である。
【図７】（Ａ）及び（Ｂ）は本発明に係る窓開閉規制装置のアームおよびスライド手段の一例の斜視図である。
【図８】（Ａ）及び（Ｂ）は本発明に係る窓開閉規制装置のロック解除手段の一例の側面断面図である。
【図９】（Ａ）及び（Ｂ）は本発明に係る窓開閉規制装置の開閉規制解除手段の一例の平面断面図である。
【図１０】（Ａ）及び（Ｂ）は本発明に係る窓開閉規制装置の開閉規制解除手段の一例の側面断面図である。
【図１１】（Ａ）及び（Ｂ）は本発明に係る窓開閉規制装置の開閉規制解除手段の一例の要部断面図である。
【図１２】本発明に係る窓開閉規制装置が適用された横軸回転窓の一例を示す斜視図である。
【図１３】本発明に係る窓開閉規制装置が適用された横軸回転窓の一例を示す正面図である。
【図１４】本発明に係る窓開閉規制装置が適用された突き出し窓の一例を示す斜視図である。
【図１５】本発明に係る窓開閉規制装置が適用された縦軸回転窓の一例を示す斜視図である。
【図１６】本発明に係る窓開閉規制装置が適用された縦辷り出し窓の一例を示す斜視図である。
【符号の説明】
１  横軸回転窓
１Ａ  突き出し窓
１Ｂ  堅軸回転窓
１Ｃ  堅辷り出し窓
１０  横軸
１１，１１Ａ，１１Ｂ，１１Ｃ，１１Ｄ  障子
１２，１２Ａ，１２Ｂ，１２Ｃ，１２Ｄ  窓枠
１３  下框                          ２  アーム
１３ａ  垂下片                    ２０  アーム連結片
１４  下枠                        ２１  垂直な軸
１４ａ  屋内面                    ２２  下框連結片
１４ｂ  起立片                    ２３  水平な軸
１５  レバー                      ２４  連結ピン
１６  堅軸                        ２４ａ  小径部
２４ｂ  大径部
３  ロック解除手段                ４  スライドブロック
３０  操作レバー                  ４０  水平な軸
３０ａ  下端部                    ４１  係合ピン
３１  可動ピン                    ４１ａ  小径部
３２  水平な軸                    ４２  凹部
３３  押圧片                      ４３  ばね
３４  ばね
３５  ねじ
５  ガイド部材
５０  底板部
５０ａ  延出部                 ６  開閉規制解除手段
５１，５３  起立板部          ６Ａ  操作レバー
５２  天板部                  ６０  固定掛止部材（第１の掛止部材）
５４  係合受部                ６０ａ，６１ａ  切欠部
５５  ねじ                    ６１  可動掛止部材（第２の掛止部材）
５６  ストッパー              ６１ｂ  鉤状部
５７  当て板                  ６２，６４，６５，６７，６９  ねじ
６３  可動ロッド              ６４Ａ  揺動片
６４Ｃ  従動片                ６４Ｂ，６４Ｄ  支軸
７  ロック手段
８  スライド手段
【図１】
0003752313.tif 000002
【図２】
0003752313.tif 000003
【図３】
0003752313.tif 000004
【図４】
0003752313.tif 000005
【図５】
0003752313.tif 000006
【図６】
0003752313.tif 000007
【図７】
0003752313.tif 000008
【図８】
0003752313.tif 000009
【図９】
0003752313.tif 000010
【図１０】
0003752313.tif 000011
【図１１】
0003752313.tif 000012
【図１２】
0003752313.tif 000013
【図１３】
0003752313.tif 000014
【図１４】
0003752313.tif 000015
【図１５】
0003752313.tif 000016
【図１６】
0003752313.tif 000017